(57)【要約】【課題】ごみ箱に、ごみ袋を装着する際、従来のごみ箱では、開口部に袋の縁を折り返すだけで、ごみを入れる度に、ごみの重さで、ごみ袋が内側に引き込まれてしまい、不便が生じていた。【解決手段】ごみ箱本体の開口部にシリコン系ゴムを直接、全面或いは部分的に塗布したごみ箱に、ごみ袋を入れ込んでごみ箱から出た袋の縁をごみ箱の外側に折り返す事に因り、シリコン系ゴムと袋の折り返した袋表面が接触し、接触摩擦に因り、ごみ袋のズレ落ち防止対策が図れる。【選択図】図１
2013133225.tif 000002
【特許請求の範囲】
【請求項１】
ごみ箱の開口部にシリコン系ゴムを直接、全面或いは部分的に塗布した、開口部を有するごみ箱。
【請求項２】
シリコン系ゴムを全面、或いは部分的に塗布したホース及び、シリコン製ホースを市販品ごみ箱に装着できるように加工した、ごみ袋ズレ防止リング。
【請求項３】
環状或いは多角形のごみ袋装着枠体部にシリコン系ゴムを直接、全面或いは部分的に塗布した、ごみ袋固定具。
【請求項４】
真空吸盤または両面テープを用いて固定する請求項２に記載のごみ袋固定具。
【発明の詳細な説明】
【技術分野】
【０００１】  本件は、ごみ袋のズレ落ち防止機能付きごみ箱に関する。
【背景技術】
【０００２】  ホテルや旅館等で、ごみ箱にごみ受けのビニール袋を被せてある事が多い。これは、ごみ自体でごみ箱内部が汚れるのを防ぎ、ごみ回収のときに袋毎、回収できる目的で袋が装着されている。多くの場合はこの袋はごみ箱に被せて、袋の縁を外側に折り返しただけのものであり、ごみの種類によってはごみの重さで袋が内側に引き込まれて袋全体がごみ箱内部に落ち込むことがある。中には、ごみ箱に被せた袋をクリップで固定するようなものもある（例えば特許文献１参照）。【０００３】  車などの、ごみ箱は箱の底に錘を入れたものや、箱の裏面にマジックテープなどで固定するものがある。中には、ごみ箱固定の為の保持具を使用するものもある（特許文献２参照）。
【先行技術文献】
【特許文献】
【０００４】
【特許文献１】  特許公開２０１０−２０２３４５
【０００５】
【特許文献２】  特許公開２００６−１８２３３７
【発明の概要】
【発明が解決しようとする課題】
【０００６】  従来は、ごみ箱に、ごみ袋を被せて袋の縁を外側に折り返すだけであったが、これでは、ごみの重さで袋自体が内側に引き込まれていた。袋が内側に引き込まれないような機能が必要である。また、袋の着脱は容易に出来る事が望ましい。【０００７】  狭い場所で揺れの大きいところ、例えば車内では、ごみ箱の大きさと固定方法が重要であるが従来の方法、例えば、床置きのものでは、ごみ箱の底に錘を入れたり、裏面にマジックテープで固定したりするものは、ごみ箱本体の大きさが限定され、車内スペースが狭くなったりする。また揺れや振動に対しては、ごみ箱が転倒する恐れがある為、確実に固定でき、尚且つ、事故発生時に障害物とならない、ごみ箱及び固定方法が課題である。
【課題を解決するための手段】
【０００８】  上記課題を達成する為に、本発明の一つである観点に係るごみ箱は、ごみ箱開口部の縁に、シリコン系ゴムを全面、或いは、部分的に塗布する事に因り、ごみ袋をごみ箱に入れ込み、ごみ箱開口部から、はみ出した袋の縁を外側に折り返す事で、シリコン系ゴムと折り返した袋が接触し、接触摩擦に因り袋がズレない、ごみ箱である。このごみ箱は、一般的に良くあるプラスチック樹脂で形成されるが、特に、材質は限定されない。【０００９】  上記性能を、市販品のごみ箱にも発揮させる為に、ごみ箱開口部に装着できるような、ゴミ袋ズレ防止リングがある。これは、円周上に切込みを入れ加工した、シリコン製ホース、または、上記加工を施した、ポリウレタン製ホース表面にシリコン系ゴムを全面、或いは、部分的に塗布したもので、これを市販品のゴミ箱開口部に装着する事で、上記ごみ箱同様に、ごみ袋をごみ箱に入れ込み、ごみ箱開口部より、はみ出した袋の縁を外側に折り返す事で、シリコン系ゴムと、袋の表面が接触し、接触摩擦に因り、袋がズレない、市販品のごみ箱に装着可能な、ごみ袋ズレ防止リングである。ここで使用するシリコン製ホース並びに、ポリウレタン製ホースの外径は８φが最適であるが、これより太くても構わない。但し、細過ぎると、上記性能を発揮し難くなる。【００１０】  更に、上記性能で、袋をそのまま、ごみ箱として使用する為のものが、ごみ袋固定具である。袋を装着する環状枠体表面に、シリコン系ゴムを全面、或いは、部分的に塗布したもと、これを設置固定する為に、真空吸盤、または、両面テープで概ね平らな壁面に固定する固定部で構成されたもので、シリコン系ゴムが塗布された、ごみ袋装着枠体の内側に、ごみ袋を入れ込み、袋の縁を外側に折り返す事で、シリコン系ゴムと、折り返した袋が接触し、接触摩擦に因り、ごみ袋を固定出来る、ごみ袋固定具である。環状枠体の外径は６φが最適であるが、これより太くても構わない。但し、細過ぎると、上記性能を発揮し難くなる。
【発明の効果】
【００１１】  ビニール袋やナイロン袋などの、ごみ袋を従来通りに、ごみ箱内側に入れ込み、ごみ箱開口部より出た、袋の縁をごみ箱開口部外側に折り返すだけで、袋の折り返し部分が、ごみ箱開口部表面のシリコン系ゴムと接触し、接触摩擦に因り、内側に引き込まれ難くなる。また、ごみ箱本体が、ごみに因り汚れる事も無い。【００１２】  ごみ袋自体をごみ箱として使用する、ごみ袋固定具は場所を取らないので、ごみ箱を置き難い、狭い場所や揺れの大きい場所、例えば車内等に設置が可能である。
【図面の簡単な説明】
【００１３】
【図１】本発明によるごみ箱にごみ袋を装着した実施例を示す斜視図
【図２】本発明によるごみ箱を示す側面図
【図３】本発明によるゴミ袋ズレ防止リング斜視図
【図４】本発明による市販品ごみ箱にゴミ袋ズレ防止リング装着組図の斜視図
【図５】本発明によるゴミ袋ズレ防止リング側面図
【図６】本発明による市販品ごみ箱にゴミ袋ズレ防止リング装着組図の側面図
【図７】本発明によるごみ袋固定具に、ごみ袋を装着した実施例を示す斜視図
【図８】本発明によるごみ袋固定具を示す側面図
【発明を実施するための形態】
【００１４】  プラスチック樹脂で形成した、ごみ箱の開口部に膨らみを持たせ、これに、シリコン系ゴムを全面、或いは部分的に塗布した、図１、図２の、ごみ箱２で開口部の膨らみは、外見上８φ位が最適であるがこれ以上太くても良い。
【００１５】  外径８φのシリコン製ホースの円周上に切込み加工を施したもの或いは、同様の加工を施した同じく外径８φのポリウレタン製ホースの表面に、シリコン系ゴムを全面または、一部に塗布したホースをごみ袋ズレ防止リング３として、ごみ箱４（市販品のごみ箱で開口部の縁が細いもの）の開口部に装着した、図３、図４、図５、図６のゴミ袋ズレ防止リングでホースの外径は８φに限定するものではない。
【００１６】  袋自体をごみ箱にする為に、ごみ袋を装着する為の、外径６φのプラスチック樹脂または、アクリル樹脂で形成された、ごみ受け袋装着枠体５の表面にシリコン系ゴムを全面塗布、或いは部分的に塗布したものを、設置固定する為の、真空吸盤６、カバー７、真空引きレバー８から成る固定部から構成される（図７、図８）。固定部は、上記、真空吸盤６の他、両面テープを用いた固定方法でも良い。ごみ袋装着枠体５の外径は６φに限定するものではなく、また、形状は環状に限らず、多角形や一部切れている形状でも可能である。
【００１７】  以上の形態により、ごみ箱やゴミ袋装着器具に袋を被せるだけで袋のズレを防止し、且つ、袋を固定する事ができ、袋の取り外しも簡易化できる。
【００１８】１  ごみ袋（ビニール袋等）
２  ごみ袋ズレ防止を直接加工したごみ箱
３  ごみ袋ズレ防止リング
４  ごみ箱（市販品）
５  ごみ袋装着枠体
６  真空吸盤
７  カバー
８  真空引きレバー
【図１】
2013133225.tif 000003
【図２】
2013133225.tif 000004
【図３】
2013133225.tif 000005
【図４】
2013133225.tif 000006
【図５】
2013133225.tif 000007
【図６】
2013133225.tif 000008
【図７】
2013133225.tif 000009
【図８】
2013133225.tif 000010